(57)【要約】      （修正有）【課題】提灯内にＬＥＤランプを回転自在に設置し、風防に動きのある影絵を映し出せるようにしたＬＥＤ提灯を提供する。【解決手段】提灯１の風防６の内部に直管型のＬＥＤランプ５を配設し、このＬＥＤランプの下部に支持軸４を延設し、この支持軸を駆動モーター３に連結して回転自在に構成し、ＬＥＤランプの発光面の外周に影絵模様の原図を表したシール７を貼設する。【選択図】図１
0003192973.tif 000002
【実用新案登録請求の範囲】
【請求項１】
提灯の風防の内部に直管型のＬＥＤランプを配設し、このＬＥＤランプの下部に支持軸を延設し、この支持軸を駆動モーターに連結して回転自在に構成し、ＬＥＤランプの発光面の外周に影絵模様の原図を表したシールを貼設したことを特徴とするＬＥＤ提灯。
【請求項２】
影絵模様の原図を表したシールが複数個貼設されていることを特徴とする請求項１記載のＬＥＤ提灯。
【請求項３】
一枚のシールシートに複数の影絵模様の原図を表したことを特徴とする請求項１記載のＬＥＤ提灯。
【考案の詳細な説明】
【技術分野】
【０００１】
本考案は光源をＬＥＤランプとしたＬＥＤ提灯に係り、さらに詳しくは、提灯内にＬＥＤランプを回転自在に設置し、そのＬＥＤランプの発光面の外周に色彩模様を形成してなるＬＥＤ提灯に関する。
【背景技術】
【０００２】
従来から、提灯は、伸縮自在な構造で細い割竹等でできた枠に紙を貼って風防（火袋）を形成し、この風防の底に蝋燭を立てて光源とするものである。歴史的には、懐中電灯のような照明装置であったが、現在は、蝋燭以外に電球を光源に使用し、祭礼の際などに多数の提灯を並べるなどして、美術的演出を凝らした照明として使用されたりする祭礼用や、祭り、七夕、お盆などの儀式用や、仏前の供物用、装飾・インテリア用や、飲食店の店頭を飾る宣伝用などの用途がある。
【０００３】
特に、仏前の供物用に用いる仏具としての提灯は、故人（仏様）を偲ぶ雰囲気作りのため、提灯の風防に動きのある影絵を投影し、影絵の色彩にも工夫を凝らしたものが人気を博している
電源に電球を利用するため、従来例を示す図３のように電球２０の周囲に回転筒２１を配設し、この発熱しやすい電球２０により暖められた周囲の空気が上方に流れることで、回転筒２１の上端に設置した風車２２を回転させ、この風車２２の軸と一体に固定されている回転筒２１も一緒に回転を開始し、回転筒２１の周囲に設置された風防６に、回転筒２１に描かれた模様を動きのある影絵として映し出し、仏具にふさわしい雰囲気を醸し出すものであった。
【先行技術文献】
【特許文献】
【０００４】
【特許文献１】実用新案登録第３１６３５４２号公報
【特許文献２】実用新案登録第３１６４４２８号公報
【考案の概要】
【考案が解決しようとする課題】
【０００５】
ところで仏具で利用する提灯としては、通常の電球を電源に使用したものが一般的で、これによれば電力の消費量が大きくなり、発熱による危険も発生し、かつ電球の寿命も短くなるなどの問題があった。
これらの問題に対処するため、電源にＬＥＤランプを利用する提灯も提案されているが、ＬＥＤランプを使用した場合には発熱しにくい特性があるため、上記の風車を回すことはできず、そのままでは電球の代用とはなりえない問題があった。
【０００６】
本考案は、電源を直管型のＬＥＤランプで形成し、風防に動きのある影絵を映し出せるようにしたＬＥＤ提灯を提案することで、上記の問題を解決しようとするものである。
【課題を解決するための手段】
【０００７】
前記課題を解決するために、請求項１に記載の考案は、提灯の風防の内部に直管型のＬＥＤランプを配設し、このＬＥＤランプの下部に支持軸を延設し、この支持軸を駆動モーターに連結して回転自在に構成し、ＬＥＤランプの発光面の外周に影絵模様の原図を表したシールを貼設したことを特徴とするＬＥＤ提灯である。
【０００８】
請求項２に記載の考案は、影絵模様の原図を表したシールが複数個貼設されていることを特徴とする請求項１記載のＬＥＤ提灯である。
【０００９】
請求項３に記載の考案は、一枚のシールシートに複数の影絵模様の原図を表したことを特徴とする請求項１記載のＬＥＤ提灯である。
【考案の効果】
【００１０】
上記した請求項１に係るＬＥＤ提灯は、直管型のＬＥＤランプを好みのスピードで回転させることができ、ＬＥＤランプの発光面には簡単にシールやシールシートを貼設することができ、そのシールやシートシールを好みの色彩でカラフルに仕立て、かつ透光度を変化させることで雰囲気を自由に変化させることが可能となるなどの優れた効果を発揮する。
【００１１】
また請求項２は、影絵模様の原図を表したシールを複数個ＬＥＤランプの発光面の外周に貼設するようにしたため、変化に富んだ好みのデザインを簡単に提灯の風防表面に表せるという効果を発揮する。
【００１２】
さらに請求項３は、一枚のシールシートに複数の影絵模様の原図を表したため、このシートシールをＬＥＤランプの発光面に一枚巻きつけるだけで、複数の影絵模様の原図をＬＥＤランプの発光面の外周に貼設できるので、影絵模様の原図の貼設操作が簡便となるという効果を発揮する。
【図面の簡単な説明】
【００１３】
【図１】本考案に係るＬＥＤ提灯の縦断正面図である。
【図２】シートシールの拡大展開正面図である。
【図３】従来提灯の縦断正面図である。
【考案を実施するための形態】
【００１４】
以下添付図面に基づいて、本考案に係るＬＥＤ提灯の一実施の形態を詳説するが、本考案はこれらの実施の形態に制限されるものではない。
【００１５】
図１に示すＬＥＤ提灯１には基台２が備えられ、この基台２の付近に設置した回転モーター３に基軸４が取り付けられ、この基軸４は回転モーター３の回転軸と直結又は適宜の回転数調整機構（変速ギア、ベルト掛けなど）を介して回転自在に連結されている。回転方向の切り替えも、自由に行える。
基軸４はＬＥＤランプ５を支持するためのもので、基軸４の上端部には、直管型のＬＥＤランプ５が取り付けられる。
【００１６】
またＬＥＤランプ５を囲うように風防６が配設されている。この風防６は、後述する影絵を映し出すためのスクリーンとなり、内部を見通せない体裁に形成され、通常提灯の風防と同様の素材、すなわち障子紙を用いたり、淡い色を付したり、不透明とした合成樹脂フィルムなどの適宜素材で形成される。
【００１７】
ＬＥＤ提灯１の外観形状は、従来の提灯と同じような形状を呈するように、竹ひごなどで内部の補強を行い、風防６の外観を平滑面であるばかりでなく、波打ち状態にしたり、蛇腹状態に形成することも可能である。
【００１８】
直管型のＬＥＤランプ５の発光面の外周には、好みのデザインの模様、例えば、太陽、月（満月や三日月）、星、花等のあらゆる模様を採用することができ、その模様を影絵模様として表すために必要となる、影絵模様の原図を表したシール７が貼設されている。
このシール７は、透明でも、半透明でも、不透明でも構わないが、ＬＥＤランプ５の光を風防６に照射した際に、シール７の影絵模様が好みの色彩で彩色されていることが好ましく、もちろん黒く映し出されるものであっても構わない。
【００１９】
さらに影絵模様の色彩の変更は、シール７やシールシート８そのものを彩色することでも構わないが、ＬＥＤランプ５の発光色を変えることによっても対応することは可能となる。
より好ましくは、全体の背景色をうすい青色とし、太陽、月、星、花などに黄色、オレンジ色、赤色、緑色、茶色などをそれぞれの好みに応じて振り分けるようにすると雰囲気が向上する傾向となる。
【００２０】
上記のシール７をＬＥＤランプ５の発光面の外周の好みの位置に貼設すると、ＬＥＤランプ５の回転に従い、シール７の影絵模様が風防６に映し出され、その影絵模様も風防６上で回転することとなる。
【００２１】
上記のシール７に変えて、小さなシール７をひとまとめにした一枚のシールシート８を使用することも可能であり、このシールシート８を使用すると、ＬＥＤランプ５への貼設が１回の手間で足りるという結果となり、シールの組み立て作業が容易となる効果がある。
【００２２】
本考案は、このような構成でなるため、電源コード９をコンセントにつないで電源をＯＮにして、回転モーター３を回転させ、同時にＬＥＤランプ５を発光させると、風防６に影絵模様が回転動状態で映し出され、静かで落ち着いた気持ちで先祖の霊を敬う雰囲気が醸し出されることとなる。
【００２３】
本考案のＬＥＤ提灯１は、必要に応じて、持ち運び用の持ち手１０、提灯を床に置くための脚部１１、提灯の強度を確保するための枠１２を形成して、提灯の使用性を向上させることも可能である。
【産業上の利用可能性】
【００２４】
本考案のＬＥＤ提灯は、特に先祖の霊を敬う雰囲気づくりに貢献できるため、仏具としての提灯を製造し、販売する業界において、その利用範囲は大変広いものとなる。
【符号の説明】
【００２５】
１ …ＬＥＤ提灯
２ …基台
３ …回転モーター
４ …基軸
５ …ＬＥＤランプ
６ …風防
７ …シール
８ …シールシート
９ …電源コード
１０ …持ち手
１１ …脚部
１２ …枠
２０ …電球
２１ …回転筒
２２ …風車
【図１】
0003192973.tif 000003
【図２】
0003192973.tif 000004
【図３】
0003192973.tif 000005